(57)【要約】【課題】繊維質を含む果肉飲料のように果汁に果肉を含ませた状態で果物を削り出したり、大根おろしのように切削片に水分を含ませた状態で根菜を削り出したりすることができる削り出し器を提供する。【解決手段】軸線方向一側に把持し易い把持部１１を有する一方、軸線方向他側に根菜や果実の中身を削り出す削り出し部１３を有する削り出し器１を前提とする。そして、削り出し部１３は、平面視で略楕円状に拡径された水平方向拡径部１５を有しているとともに、この水平方向拡径部１５の周囲全域に亘って突出する複数の突起１４，１４，…を備え、把持部１１を把持して軸線回りに回転させた状態で根菜や果実と対峙する軸線方向他側へ進行するようにしている。【選択図】図１
2019103733.tif 000002
【特許請求の範囲】
【請求項１】
軸線方向一側に把持し易い把持部を有する一方、軸線方向他側に根菜や果実の中身を削り出す削り出し部を有する削り出し器であって、
前記削り出し部は、平面視で略楕円状に拡径された拡径部を有しているとともに、この拡径部の周囲全域に亘って突出する複数の突起を備え、前記把持部を把持して軸線回りに回転させた状態で前記根菜や果実と対峙する軸線方向他側へ進行するようにしていることを特徴とする削り出し器。
【請求項２】
前記削り出し部は、側面視でその削り出し部の拡径部の表裏方向へ略楕円状に拡径する表裏方向拡径部を有し、先端部側から見て略十字状に形成されており、
前記表裏方向拡径部も、その周囲全域に亘って突出する複数の突起を備えている請求項１に記載の削り出し器。
【請求項３】
前記削り出し部は、先端部側から見て円形状に形成されており、
前記各突起は、前記削り出し部の周囲全域より略円錐状又は略角錐状に突出している請求項１に記載の削り出し器。
【発明の詳細な説明】
【技術分野】
【０００１】
本発明は、根菜や果実の中身を削り出す削り出し器に関するものである。
【背景技術】
【０００２】
従来より、 基端部に把持し易い把持部を有する一方、先端部に果実の果汁を搾取する搾取部を有する果汁搾取器は知られている（特許文献１参照）。
【０００３】
また、根菜や果実を削り出す削り出し器も知られている（特許文献２参照）。この削り出し器は、周囲に雄ねじが設けられたドリル部と、ドリル部から外方へ伸び、回転方向へ向いた刃を有する切削部と、切削部の端部に設けられた回転摘みとを備え、根菜にドリル部の先端をあてた状態で回転摘みを回転させると、ドリル部が根菜にねじ込まれ、それに伴い刃により根菜が螺旋状に切削されるようにしている。
【先行技術文献】
【特許文献】
【０００４】
【特許文献１】特開２０１４−１１３４２８号公報
【特許文献２】再公表特許ＷＯ２０１６／１８１５７０号公報
【発明の概要】
【発明が解決しようとする課題】
【０００５】
ところで、近年より、繊維質を含む果肉飲料のように果汁に果肉を含ませて果物を削り出したり、大根おろしのように切削片に水分を含ませて根菜を削り出したいといった要求が有る。
【０００６】
その場合、前記前者の果汁搾取器にあっては、果実の果汁を搾取するためのものであるので、果実の果肉から果汁が搾取されるものの、果肉は押しやられて絞りかすとなるため、繊維質を含む果肉飲料のように果汁に果肉を含ませた状態で果物から削り出すことができない。
【０００７】
一方、前記後者の削り出し器にあっても、根菜にドリル部の先端をあてた状態で回転摘みの回転によりドリル部が根菜にねじ込まれるものの、それに伴い刃により根菜が螺旋状に切削されるので、根菜が切削されるにすぎないため、切削片から積極的に水分を搾取することができず、大根おろしのように切削片に水分を含ませた状態で根菜を削り出すことができない。
【０００８】
本発明は、かかる点に鑑みてなされたものであり、その目的とするところは、繊維質を含む果肉飲料のように果汁に果肉を含ませた状態で果物を削り出したり、大根おろしのように切削片に水分を含ませた状態で根菜を削り出したりすることができる削り出し器を提供することにある。
【課題を解決するための手段】
【０００９】
前記目的を達成するため、本発明では、軸線方向一側に把持し易い把持部を有する一方、軸線方向他側に根菜や果実の中身を削り出す削り出し部を有する削り出し器を前提とする。そして、前記削り出し部は、平面視で略楕円状に拡径された拡径部を有しているとともに、この拡径部の周囲全域に亘って突出する複数の突起を備え、前記把持部を把持して軸線回りに回転させた状態で前記根菜や果実に対峙する軸線方向他側へ進行するようにしていることを特徴としている。
【００１０】
また、前記削り出し部は、側面視でその削り出し部の拡径部の表裏方向へ略楕円状に拡径する表裏方向拡径部を有し、先端部側から見て略十字状に形成されているとともに、前記表裏方向拡径部も、その周囲全域に亘って突出する複数の突起を備えていてもよい。
【００１１】
これに対し、前記削り出し部は、先端部側から見て円形状に形成されているとともに、前記各突起は、前記削り出し部の周囲全域より略円錐状又は略角錐状に突出していておよい。
【発明の効果】
【００１２】
以上、要するに、軸線方向他側において平面視で略楕円状に拡径する削り出し部の拡径部の周囲全域に亘って複数の突起を設け、軸線方向一側の把持部を把持して軸線回りに回転させた状態で根菜や果実と対峙する軸線方向他側へ進行させて、削り出し部の拡径部の周囲全域の複数の突起により根菜や果実の中身を削り出すことで、繊維質を含む果肉飲料のように果汁に果肉を含ませた状態で果物を削り出したり、大根おろしのように切削片に水分を含ませた状態で根菜を削り出したりすることができる。
【００１３】
また、削り出し部は、側面視で拡径部の表裏方向へ略楕円状に拡径する表裏方向拡径部を有し、先端部側から見て略十字状に形成されているとともに、表裏方向拡径部も、その周囲全域に亘って複数の突起を備えていることで、把持部を把持して軸線回りに回転させた状態で根菜や果実と対峙する軸線方向他側へ進行させて、拡径部及び表裏方向拡径部の周囲全域の複数の突起により根菜や果実の中身を削り出している。これにより、繊維質を含む果肉飲料のように果汁に果肉を含ませた状態で果物を二倍近い効率で削り出したり、大根おろしのように切削片に水分を含ませた状態で根菜を二倍近い効率で削り出したりすることができる。
【００１４】
これに対し、削り出し部は、先端部側から見て円形状に形成されているとともに、各突起は、削り出し部の周囲全域より略円錐状又は略角錐状に突出していることで、把持部を把持して軸線回りに回転させた状態で根菜や果実と対峙する軸線方向他側へ進行させて、削り出し部の周囲全域より略円錐状又は略角錐状に突出する複数の突起により根菜や果実の中身を削り出している。これにより、繊維質を含む果肉飲料のように果汁に果肉を含ませた状態で果物をより効率よく削り出したり、大根おろしのように切削片に水分を含ませた状態で根菜をより効率よく削り出したりすることができる。
【図面の簡単な説明】
【００１５】
【図１】本発明の第１の実施の形態に係る削り出し器の斜視図である。
【図２】図１の削り出し器を軸線方向他側から見た削り出し部の正面図である。
【図３】本発明の第２の実施の形態に係る削り出し器の斜視図である。
【図４】図３の削り出し器を軸線方向他側から見た削り出し部の正面図である。
【図５】本発明の第３の実施の形態に係る削り出し器の斜視図である。
【図６】第１の実施の形態の変形例に係る削り出し器の斜視図である。
【発明を実施するための形態】
【００１６】
以下、本発明の実施の形態を図面に基づいて説明する。
【００１７】
図１は本発明の第１の実施の形態に係る削り出し器の斜視図、図２は図１の削り出し器を軸線方向他側から見た削り出し部の正面図をそれぞれ示している。
【００１８】
図１及び図２に示すように、１は削り出し器であって、表裏方向（図２では上下方向）の厚さが約３〜５ｍｍ程度の平坦なアクリル樹脂板により成形されている。この削り出し器１は、長さが約１７〜２０ｃｍ程度に設定され、軸線方向一側（図１では左側）に把持し易い把持部１１が設けられている。この把持部１１の軸線方向一側端には、図示しないフックなどに挿通される挿通孔１２が設けられている。
【００１９】
一方、軸線方向他側（図１では右側）には、根菜や果実の中身を削り出す削り出し部１３が設けられている。削り出し部１３は、平面視で略楕円状に拡径された拡径部としての水平方向拡径部１５を備えているとともに、この水平方向拡径部１５の周囲全域に亘って連続的に半径方向外方へ突出する複数の突起１４，１４，…を備えている。各突起１４は、水平方向拡径部１５（削り出し部１３）の周面よりそれぞれ放線方向へ厚みをもって逆Ｖ字状に突出している。
【００２０】
そして、把持部１１を把持して軸線回りに回転させた状態で根菜や果実と対峙する軸線方向他側へ進行することで、水平方向拡径部１５の各突起１４により根菜や果実の中身を削り出すようにしている。
【００２１】
したがって、本実施の形態では、軸線方向他側において平面視で略楕円状に拡径する削り出し部１３の水平方向拡径部１５の周囲全域に亘って複数の突起１４，１４，…を設け、軸線方向一側の把持部１１を把持して軸線回りに回転させた状態で根菜や果実と対峙する軸線方向他側へ進行させて、水平方向拡径部１５の周囲全域の各突起１４により根菜や果実の中身を削り出している。これにより、繊維質を含む果肉飲料のように果汁に果肉を含ませた状態で果物を削り出したり、大根おろしのように切削片に水分を含ませた状態で根菜を削り出したりすることができる。
【００２２】
次に、本発明の第２の実施の形態を図面に基づいて説明する。
【００２３】
この実施の形態では、削り出し部の構成を変更している。なお、削り出し部を除くその他の構成は、前記第１の実施の形態と同じであり、同一部分については同じ符号を付してその詳細な説明は省略する。図３は本発明の第２の実施の形態に係る削り出し器の斜視図、図４は図３の削り出し器を軸線方向他側から見た削り出し部の正面図をそれぞれ示している。
【００２４】
すなわち、本実施の形態では、図３及び図４に示すように、削り出し器２の削り出し部２１は、水平方向拡径部１５（削り出し部）と、側面視でその水平方向拡径部１５の表裏方向へ略楕円状に拡径する表裏方向拡径部２３とを備えている。
【００２５】
また、表裏方向拡径部２３は、水平方向拡径部１５の表裏方向で２等分割された分割片２４，２４を備えている。そして、一方の分割片２４が水平方向拡径部１５の表側面の軸線方向へ延びる二等分割線上に、他方の分割片２４が水平方向拡径部１５の裏側面の二等分割線上にそれぞれ一体的に取り付けられている。表裏方向拡径部２３は、水平方向（図４では左右方向）の厚さが約３〜５ｍｍ程度のアクリル樹脂板により成形されている。この場合、削り出し部２１は、水平方向拡径部１５と表裏方向拡径部２３とによって、先端部側（削り出し部２１）から見て略十字状に形成されている。
【００２６】
更に、表裏方向拡径部２３にも、その周囲全域に亘って連続的に半径方向外方へ突出する複数の突起２５を備えている。各突起２５は、表裏方向拡径部２３の周面よりそれぞれ放線方向へ厚みをもって逆Ｖ字状に突出している。そして、把持部１１を把持して軸線回りに回転させた状態で根菜や果実と対峙する軸線方向他側へ進行することで、水平方向拡径部１５の各突起１４及び表裏方向拡径部２３の各突起２５により根菜や果実の中身を削り出すようにしている。
【００２７】
したがって、本実施の形態では、削り出し部２１は、側面視でその削り出し部２１の水平方向拡径部１５の表裏方向へ略楕円状に拡径する表裏方向拡径部２３を有し、先端部側から見て略十字状に形成されているとともに、表裏方向拡径部２３も、その周囲全域に亘って複数の突起２５，２５，…を備えているので、把持部１１を把持して軸線回りに回転させた状態で根菜や果実と対峙する軸線方向他側へ進行させて、水平方向拡径部１５の周囲全域の各突起１４及び表裏方向拡径部２３の周囲全域の各突起２５により根菜や果実の中身を削り出している。これにより、繊維質を含む果肉飲料のように果汁に果肉を含ませた状態で果物を二倍近い効率で削り出したり、大根おろしのように切削片に水分を含ませた状態で根菜を二倍近い効率で削り出したりすることができる。
【００２８】
次に、本発明の第３の実施の形態を図面に基づいて説明する。
【００２９】
この実施の形態では、削り出し器の構成を変更している。図５は本発明の第３の実施の形態に係る削り出し器の斜視図を示している。
【００３０】
すなわち、本実施の形態では、図５に示すように、削り出し器３の一側には、把持し易い略円柱形状の木製の把持部３１が設けられている。
【００３１】
一方、削り出し器３の他側には、把持部３１の他端に一端が取り付けられたポロプロピレンなどの合成樹脂よりなる削り出し部３２が取り付けられている。この削り出し部３２は、偏長楕円体状を呈し、平面視又は側面視で略楕円形状となっているとともに、先端部側から見て円形状となっている。また、削り出し部３２は、その周囲全域より略円錐状に突出する突起３３，３３，…を備えている。この各突起３３は、削り出し部３２の周囲に対する放線方向へそれぞれ突出している。この場合、削り出し器３は、長さが約１７〜２０ｃｍ程度に設定されている。
【００３２】
したがって、本実施の形態では、削り出し部３２は、先端部側から見て円形状に形成されているとともに、各突起３３は、削り出し部３２の周囲全域より略円錐状に突出しているので、把持部３１を把持して軸線回りに回転させた状態で根菜や果実と対峙する軸線方向他側へ進行させて、削り出し部３２の周囲全域より略円錐状に突出する複数の突起３３，３３，…により根菜や果実の中身を削り出している。これにより、繊維質を含む果肉飲料のように果汁に果肉を含ませた状態で果物をより効率よく削り出したり、大根おろしのように切削片に水分を含ませた状態で根菜をより効率よく削り出したりすることができる。
【００３３】
なお、本発明は前記各実施の形態に限定されるものではなく、その他種々の変形例を包含している。例えば、前記第１の実施の形態では、削り出し器１を平坦なアクリル樹脂板により成形したが、図６に示すように、削り出し部１３の平坦な表面に目４１，４１と口４２を凹設して着色していてもよく、その場合には、愛着のあるマスコット的な削り出し器１を提供することが可能となる。また、削り出し部の平坦な表面に目と口を貫通させて設けていてもよく、その場合には、把持部を把持して軸線回りに回転させた状態で根菜や果実と対峙する軸線方向他側へ進行させた際に削り出し部の表裏が目と口を介して連通し、果実の果汁や根菜の水分をスムーズに排出させて削り出す効率を高めることが可能となる。
【００３４】
また、前記各実施の形態では、削り出し部１３の水平方向拡径部１５、削り出し部２１の表裏方向拡径部２３、及び削り出し部３２をそれぞれ平面視又は側面視で略楕円形状に形成したが、削り出し部の水平方向拡径部、削り出し部の表裏方向拡径部、及び削り出し部の先端を軸線方向他側へ尖らせたり、削り出し部の水平方向拡径部、削り出し部の表裏方向拡径部、及び削り出し部の先端の突起のみを大きくして軸線方向他側への突出量を拡大させたりしてもよく、その場合には、果物や根菜に対する進出を行い易くして削り出しをよりスムーズに行うことが可能となる。
【００３５】
また、前記第３の実施の形態では、各突起３３を削り出し部３２の周囲全域より略円錐状に突出させたが、削り出し部の周囲全域よりそれぞれ略角錐状に突出する突起であってもよい。
【００３６】
また、前記各実施の形態では、削り出し器１，２をアクリル樹脂等の合成樹脂により成形する一方、削り出し部３２をポロプロピレンなどの合成樹脂により成形したが、合成樹脂に代えて、風合いのある竹材や木材の他、剛性強度の高いアルミニウム合金などの金属により成形されていてもよい。
【００３７】
更に、各実施の形態では、削り出し器１〜３の長さを約１７〜２０ｃｍ程度に設定したが、削り出し器１〜３の長さは、これに限定されるものではなく、把持部を把持して果物や根菜に対し削り出し可能な長さであればよい。また、把持部を電動式の回転器具に把持させ、削り出し器を電動で軸回りに回転させることで、果物や根菜の削り出しを安易に行えるようにしてもよい。
【符号の説明】
【００３８】
１          削り出し器
１１        把持部
１３        削り出し部
１４        突起
１５        水平方向拡径部（拡径部）
２          削り出し器
２１        削り出し部
２３        表裏方向拡径部
２５        突起
３          削り出し器
３１        把持部
３２        削り出し部
３３        突起
【図１】
2019103733.tif 000003
【図２】
2019103733.tif 000004
【図３】
2019103733.tif 000005
【図４】
2019103733.tif 000006
【図５】
2019103733.tif 000007
【図６】
2019103733.tif 000008